(57)【要約】【課題】各種の情報を印刷する紙面の拡大が十分に図れ、且つ容易に返信用葉書を分離させる返信用葉書付き広告印刷物を提供する。【解決手段】仮想折れ線ａ，ｂで区画される中央紙部１１と、中央紙部１１の両側に繋がれた左側紙部１２及び右側紙部１３とを有し、中央紙部１１に繋がっていない側の左側紙部１２、又は右側紙部１３の端辺が一部となるように、外周にカット線が形成された返信用葉書１４が設けられ、左側紙部１２と右側紙部１３とがそれぞれ中央紙部側１１へ折畳まれた状態で、左側紙部１２、右側紙部１３、及び返信用葉書１４は、中央紙部１１と一過性の接着剤１５で剥離可能に接着され、返信用葉書１４が設けられた左側紙部１２、又は右側紙部１３を開いた際に、左側紙部１２、又は右側紙部１３から返信用葉書１４がカット線１４ａにより分離される。【選択図】図１
2015085553.tif 000002
【特許請求の範囲】
【請求項１】
仮想折れ線で区画される中央紙部と、
前記中央紙部の両側に繋がれた左側紙部及び右側紙部と、を有し、
前記中央紙部に繋がっていない側の前記左側紙部、又は前記右側紙部の端辺が一部となるように、外周にカット線が形成された返信用葉書が設けられ、
前記左側紙部と前記右側紙部とがそれぞれ前記中央紙部側へ折畳まれた状態で、前記左側紙部、前記右側紙部、及び前記返信用葉書は、前記中央紙部と一過性の接着剤で剥離可能に接着され、
前記返信用葉書が設けられた前記左側紙部、又は前記右側紙部を開いた際に、前記左側紙部、又は前記右側紙部から前記返信用葉書が前記カット線により分離されることを特徴とする返信用葉書付き広告印刷物。
【請求項２】
仮想折れ線で区画される中央紙部と、
前記中央紙部のどちらか一方の側に接着された側紙部と、を有し、
前記中央紙部に接着されていない側の前記側紙部の端辺が一部となるように、外周にカット線が形成された返信用葉書が設けられ、
前記側紙部が前記中央紙部の表面側に重なった状態で、前記側紙部、及び前記返信用葉書は、前記中央紙部と一過性の接着剤で剥離可能に接着され、
前記側紙部を開いた際に、前記側紙部から前記返信用葉書が前記カット線により分離されることを特徴とする返信用葉書付き広告印刷物。
【請求項３】
前記返信用葉書が、前記端辺の角部に設けられることを特徴とする請求項１又は２に記載の返信用葉書付き広告印刷物。
【請求項４】
前記左側紙部と前記右側紙部とが前記中央部側に折畳まれた状態で、前記左側紙部の端辺と前記右側紙部の端辺とに、間隙が設けられていることを特徴とする請求項１又は３に記載の返信用葉書付き広告印刷物。
【発明の詳細な説明】
【技術分野】
【０００１】
本発明は、新聞や雑誌などに折り込まれたり、書店などの店頭で配布される返信用葉書付き広告印刷物に関するものである。
【背景技術】
【０００２】
新聞に折り込まれて配布される広告印刷物は、一枚の紙面の両側に商品情報を印刷したものが一般的である。このような形式の広告印刷物は、日常的によくみられるものであるため、表現方法などに特別な工夫をしなければ、消費者の商品に対する購買意欲を惹起する力が弱い。そこで、特許文献１に開示された広告印刷物は、広告を見て商品などに興味を持った人が商品の購買注文をするためなどに用いることができる返信用葉書が添付されている。
【０００３】
さらに、広告印刷物に掲載する情報量を拡大させたり、返信用葉書を手に取りやすくすることにより、葉書の返信率を高めたい要請がある。このような要請に応えるためには、紙面を増加させる必要がある。そこで、特許文献２に開示された広告印刷物は、紙面が折り畳められた構造であって、紙面を観音開きすることができる。その際、観音開きされる紙面と共に返信用葉書が切り取られるため、手間をかけることなく葉書を利用することができる。
【先行技術文献】
【特許文献】
【０００４】
【特許文献１】特開２００４−１３３０６５
【特許文献２】特開２０１０−２６９６０７
【発明の概要】
【発明が解決しようとする課題】
【０００５】
しかしながら、特許文献２に開示された広告印刷物を手にした消費者の中には、紙面を開く前に、直接葉書を引き剥がそうとする者もいる。しかし、葉書は紙面の中央部に設けられているため、葉書を直接引き剥がしにくい。また、葉書を直接引き剥がすためには、紙面を無理矢理湾曲させたり、折り曲げたりする必要があり、容易ではない。そして、葉書を引き剥がすことができずに葉書が破れたり、引き剥がすのが途中で嫌になり、破棄してしまい、返信につながらないケースが見られた。
【０００６】
本発明は、上記課題に鑑みて、各種の情報を印刷できる紙面の拡大を図ることができると共に、容易に返信用葉書を切り取ることが可能な返信用葉書付き広告印刷物を提供することにある。
【課題を解決するための手段】
【０００７】
上記課題を解決するためになされた本発明の返信用葉書付き広告印刷物は、仮想折れ線で区画される中央紙部と、前記中央紙部の両側に繋がれた左側紙部及び右側紙部とを有し、前記中央紙部に繋がっていない前記左側紙部、又は前記右側紙部の端辺が一部となるように、外周にカット線が形成された返信用葉書が設けられ、前記左側紙部と前記右側紙部とがそれぞれ前記中央紙部側へ折畳まれた状態で、前記左側紙部、前記右側紙部、及び前記返信用葉書は、前記中央紙部と一過性の接着剤で剥離可能に接着され、前記返信用葉書が設けられた前記左側紙部、又は前記右側紙部を開いた際に、前記左側紙部、又は前記右側紙部から前記返信用葉書が前記カット線により分離されることを特徴とする。
この構成により、各種の情報を印刷する紙面の拡大が図れ、且つ容易に返信用葉書を分離させることができる。
【０００８】
また、本発明の返信用葉書付き広告印刷物は、中央紙部と、前記中央紙部のどちらか一方の側に接着された側紙部とを有し、前記中央紙部に接着されていない前記側紙部の端辺が一部となるように、外周にカット線が形成された返信用葉書が設けられ、前記側紙部が前記中央紙部側に重なった状態で、前記側紙部、及び前記返信用葉書は、前記中央紙部と一過性の接着剤で剥離可能に接着され、前記側紙部を開いた際に、前記側紙部から前記返信用葉書が前記カット線により分離されることを特徴とする。
この構成により、各種の情報を印刷する紙面の拡大が図れ、且つ容易に返信用葉書を分離することができる。
【０００９】
また、本発明の返信用葉書付き広告印刷物は、前記返信用葉書が、前記端辺の角部に設けられることを特徴とする。
この構成により、返信用葉書の四辺の内、二辺が既に分離している状態であるから、より容易に分離させることが出来る。
【００１０】
また、本発明の返信用葉書付き広告印刷物は、前記左側紙部と前記右側紙部とが前記中央部側に折畳まれた状態で、前記左側紙部の端辺と前記右側紙部の端辺とに、間隙が設けられていることを特徴とする。
この構成により、間隙から見られる情報により、何が印刷されているか好奇心を惹起し、例えば開封される確率を高めることができる。
【発明の効果】
【００１１】
本発明に係る返信用葉書付き広告印刷物によれば、各種の情報を印刷する紙面の拡大が図れ、且つ容易に返信用葉書を分離することができる。
【図面の簡単な説明】
【００１２】
【図１】本発明に係る返信用葉書付き広告印刷物の実施例１を示す用紙の展開図である。
【図２】図１に示した用紙の左側紙部を折畳んだ状態を示す平面図である。
【図３】図２に示した用紙の右側紙部を折畳んだ状態を示す平面図である。
【図４】図３に示した用紙の状態から右側紙部を開いた状態を示す平面図である。
【図５】図３に示した用紙の状態から返信用葉書を引き剥がした状態を示す平面図である。
【図６】（ａ）、（ｂ）は実施例１の変形例を示す平面図である。
【図７】本発明に係る返信用葉書付き広告印刷物の実施例２を示す用紙の平面図である。
【図８】図７に示した用紙の状態から側紙部を開いた状態を示す平面図である。
【図９】図７に示した用紙の状態から返信用葉書を引き剥がした状態を示す平面図である。
【図１０】本発明に係る返信用葉書付き広告印刷物の実施例２の変形例を示す平面図である。
【図１１】（ａ）、（ｂ）は図１０に示した用紙の製造手順を示す平面図である。
【図１２】（ａ）、（ｂ）は図１１に示した用紙の製造手順以降の製造手順を示す平面図である。
【図１３】図１１（ｂ）に示した用紙の断面図である。
【発明を実施するための最良の形態】
【００１３】
以下、本発明の好適な実施の形態について、添付図面に基づいて詳細に説明する。図１〜図５は、本発明に係る返信用葉書つき広告印刷物の実施例１を示す。
【００１４】
実施例１の返信用葉書付き広告印刷物１０ａは、仮想折れ線ａ、ｂで区画される中央紙部１１と、中央紙部１１の両側に繋がる左側紙部１２及び右側紙部１３とを有する。また、中央紙部１１に繋がっていない右側紙部１３の端辺１３ａが一部となるように、外周にカット線１４ａが形成された返信用葉書１４が設けられる。尚、返信用葉書１４は、中央紙部１１に繋がっていない左側紙部１２の端辺１２ａに設けてもよい。
【００１５】
また、中央紙部１１、左側紙部１２、及び右側紙部１３の外周縁には、外周に沿って、所定幅の剥離可能な接着剤１５が、直線状、又はドット状に塗布されている。接着剤１５は、例えば、一過性の接着力が圧力を加えることで得られる感圧接着剤を好適に用いることができる。
【００１６】
上記した構成を有する返信用葉書付き広告印刷物１０ａは、仮想折れ線ａを介して、左側紙部１２が中央紙部１１上に位置するように、折畳むと図２に示す状態となる。次に、仮想折れ線ｂを介して、右側紙部１３が中央紙部１１上に位置するように、折畳むと図３に示す状態となる。また、図３に示すように左側紙部１２と右側紙部１３とがそれぞれ中央紙部側１１へ折畳まれた状態で、左側紙部１２、右側紙部１３、及び返信用葉書１４は、中央紙部１１と一過性の接着剤１５で剥離可能に接着される。ここで、接着剤１５に圧力を加えて接着すると、外周が開封可能（剥離可能）に封止され、新聞折込の際に、一体物として取扱いが可能な圧着チラシとなる。尚、先ず右側紙部１３を折畳んだ後、左側紙部１２を折畳んでもよい。
【００１７】
また、接着剤１５は、図示していないが、右側紙部１３が折り畳まれた状態で、返信用葉書１４が位置する中央紙部１１の領域に適宜塗布される。
【００１８】
図３に示すように、広告印刷物１０ａは、左側紙部１２の端辺１２ａと右側紙部１３の端辺１３ａとに、間隙が設けられている。例えば間隙の大きさが、５ｍｍ程度である場合、間隙から見られる字、図、イラスト等の情報により、何が印刷されているか好奇心を惹起し、右側紙部１３が開けられる確率を高めることができる。
【００１９】
以上のように構成された返信用葉書付き広告印刷物１０ａは、図３に示した状態から、右側紙部１３を右に開いた際、図４に示すように返信用葉書１４は、右側紙部１３からカット線１４ａにより分離される。尚、カット線１４ａは、返信用葉書１４の周縁に感圧接着した後に形成され、返信用葉書１４を分離可能とする。
【００２０】
一方、返信用葉書１４が左側紙部１２に設けられている場合は、左側紙部１２を左に開いた際に、返信用葉書１４が左側紙部１２からカット線１４ａにより分離される。
【００２１】
また、図３に示した状態で、右側紙部１３ではなく、返信用葉書１４を直接引き剥した場合、図５に示すように返信用葉書１４が右側紙部１３からカット線１４ａにより分離される尚、返信用葉書１４が存在した位置には、葉書形状の角孔１６が形成され、中央紙部１１の内面に印刷されている文字やイラスト、模様などの広告情報を見ることができる。
【００２２】
さらに、返信用葉書１４は、図６（ａ）に示すように端辺１３ａの中間部、また図６（ｂ）に示すように端辺１３ａの下端部に設けても良い。広告印刷物１０ａに印刷する情報に応じて、返信用葉書１４のレイアウトを変更することが可能である。
【００２３】
実施例１の返信用葉書１４は、少なくとも一辺が外周縁に位置しているため、返信用葉書１４に手をかけて、容易に引き剥がすことができる。また、実施例１の返信用葉書１４が、例えば右側紙部１３の端辺１３ａの角部に形成されている場合、返信用葉書１４以外の右側紙部１３の余白１３ｂが大きく一つに纏められ、多くの情報を表現しやすく、また消費者にとっても情報を読み取り易くなる。
【００２４】
実施例１の返信用葉書付き広告印刷物１０ａは、左側紙部１２の端辺１２ａと右側紙部１３ａの間隙が、５ｍｍ程度であって、間隙から見られる情報が大きくなることにより、何が印刷されているか好奇心を惹起し、開封される確率が増すと期待できる。
【００２５】
図７〜図１２は、本発明に係る返信用葉書付き広告印刷物の実施例２を示す。尚、以下の説明では、上記実施例１と同一もくしは相当する部分には、同一ないしは関連する符号を付して、その説明を省略ないしは簡略化し、特徴点についてのみ詳述する。
【００２６】
実施例２の返信用葉書付き広告印刷物１０ｂは、中央紙部１１０と、中央紙部１１０の辺１１１に接着された側紙部１２０とを有し、中央紙部１１０に接着されていない側紙部１２０の端辺１２１ａが一部となるように、例えば端辺１２１ａの角部に、外周にカット線１４ａが形成された返信用葉書１４が設けられる。尚、側紙部１２０が、中央紙部１１０の表面側に重ねられる。
【００２７】
継続性の接着剤１５０が、中央紙部１１０の辺１１１に対応する、側紙部１２０の辺１２１に、塗布され、側紙部１２０が中央紙部１１０上に重ねられることにより、接着される。また、辺１１１を除く中央紙部１１０の外周縁と辺１２１を除く側紙部１２０の外周縁とにも、実施例１と同様に、剥離可能な接着剤１５が塗布され、側紙部１２０が中央紙部１１０上に重ねられることにより、剥離可能に接着される。
【００２８】
以上のように構成された返信用葉書付き広告印刷物１０ｂは、図７に示した状態から、側紙部１２０を左に開いた際、図８に示すように返信用葉書１４は、側紙部１２０からカット線１４ａにより分離される。
【００２９】
実施例２の返信用葉書１４は、少なくとも一辺が外周縁に位置しているため、返信用葉書１４に直接手をかけて、容易に引き剥がすことができる。
【００３０】
また、実施例２の返信用葉書１４は、図１０に示すように、側紙部１２０の端辺１２１ａの中心部に形成してもよく、掲載する情報に応じて、位置を変更することが可能である。尚、実施例２の返信用葉書１４は、側紙部１２０の端辺１２１ａでなく、別の端辺１２１ｂに形成してもよい。
【００３１】
次に、実施例２に係る返信用葉書付き広告印刷物１０ｂの製造手順について、図１１及び１２に従って、以下説明する。
【００３２】
先ず、図１１に示すように、返信用葉書１４を設ける側の側紙部１２０の端辺１２１ａに合わせて、側紙部１２０の表面に紙片１４０を接着する。次に、図１２に示すように中央紙部１１０の辺１１１の表面側と側紙部１２０の辺１２１の裏面側とに継続性の接着剤１５０を塗布する。また、図示しないが、接着剤１５０が塗布されていない辺については、一過性の接着剤１５を塗布する。そして、側紙部１２０を中央紙部１１０上に重ね合わせる。
【００３３】
中央紙部１１０と側紙部１２０とを重ね合わせた後、返信用葉書１４の周縁にカット線１４ａを形成することにより、返信用葉書１４は分離可能となる。
【００３４】
実施例２の返信用葉書１４は、少なくとも一辺が外周縁に位置しているため、返信用葉書１４に直接手をかけて、容易に引き剥がすことができる。
【００３５】
実施例２の広告印刷物１０ｂは、紙片１４０が側紙部１２０の表面側に接着されているため、図１３に示すように側紙部１２０を中央紙部１１０上に重ね合わせた際、側紙部１２０と中央紙部１１０との間隙が均一であるため、中央紙部１１０と側紙部１２０との密着性を向上させることができる。
【００３６】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００３７】
返信用葉書１４は、上述した実施例１及び２に限らず、直接手に触れることが可能な位置、即ち少なくとも一辺が紙部の外周縁に設けられればよい。
【符号の説明】
【００３８】
１０ａ、１０ｂ…返信用葉書付き広告印刷物
１１、１１０…中央紙部
１２…左側紙部
１２ａ…端辺
１３…右側紙部
１３ａ…端辺
１４…返信用葉書
１４ａ…カット線
１５、１５０…接着剤
１２０…側紙部
１４０…紙片
ａ、ｂ…仮想折れ線
【図１】
2015085553.tif 000003
【図２】
2015085553.tif 000004
【図３】
2015085553.tif 000005
【図４】
2015085553.tif 000006
【図５】
2015085553.tif 000007
【図６】
2015085553.tif 000008
【図７】
2015085553.tif 000009
【図８】
2015085553.tif 000010
【図９】
2015085553.tif 000011
【図１０】
2015085553.tif 000012
【図１１】
2015085553.tif 000013
【図１２】
2015085553.tif 000014
【図１３】
2015085553.tif 000015